(57)【要約】【課題】正確な位置情報が記載され、かつ、見やすい地図が掲載された印刷物を手間と時間をかけずに作製する。【解決手段】  実際の地形に対して地図内における縮尺率が一定となる略図情報が登録された略図情報データベース３０と、目的地情報データベース１０に登録された目的地情報が入力されるための情報入力部２０と、略図情報データベース３０に登録された略図情報の中から、情報入力部２０を介して入力された目的地情報によって特定される目的地を含む所定の範囲の略図情報を抽出する地図情報抽出部４０と、地図情報抽出部４０にて抽出された略図情報を印刷する地図情報印刷部７０とを設ける。【選択図】図１
2005134731.tif 000002
【特許請求の範囲】
【請求項１】
地図情報が掲載された印刷物を作製する印刷物作製システムであって、
実際の地形に対して地図内における縮尺率が一定となる略図情報が登録されたデータベースと、
目的地情報が入力されるための情報入力手段と、
前記データベースに登録された略図情報の中から、前記情報入力手段を介して入力された目的地情報によって特定される第１の地点を含む所定の範囲の略図情報を抽出する地図情報抽出手段と、
前記地図情報抽出手段にて抽出された略図情報を印刷する地図情報印刷手段とを有することを特徴とする印刷物作製システム。
【請求項２】
請求項１に記載の印刷物作製システムにおいて、
前記データベースに登録された略図情報には、ランドマーク情報が含まれており、
前記地図情報抽出手段にて抽出された略図情報の範囲、並びに予め決められたランドマーク情報の優先順位に応じて、前記地図情報抽出手段にて抽出された略図情報に含まれるランドマーク情報の中から略図上に掲載すべきランドマーク情報を選択するランドマーク選択手段を有し、
前記地図情報印刷手段は、前記地図情報抽出手段にて抽出された略図情報上に前記ランドマーク選択手段にて選択されたランドマーク情報を印刷することを特徴とする印刷物作製システム。
【請求項３】
請求項１または請求項２に記載の印刷物作製システムにおいて、
前記地図情報抽出手段は、前記入力手段を介して基準位置情報が入力された場合、該基準位置情報によって特定される第２の地点と前記第１の地点とを含む範囲の略図情報を抽出することを特徴とする印刷物作製システム。
【請求項４】
請求項３に記載の印刷物作製システムにおいて、
前記第１の地点と前記第２の地点との距離に基づいて、前記第１の地点と前記第２の地点との間の移動時間を算出する移動時間算出手段を有し、
前記地図情報印刷手段は、前記移動時間算出手段にて算出された移動時間を印刷することを特徴とする印刷物作製システム。
【発明の詳細な説明】
【技術分野】
【０００１】
本発明は、印刷物を作製する印刷物作製システムに関し、特に、地図情報が掲載された印刷物を作製する印刷物作製システムに関する。
【背景技術】
【０００２】
従来より、イベントの案内状や結婚式の招待状、あるいは試験会場の案内状等といった、目的地の場所を通知する必要がある印刷物においては、目的地の場所が含まれる地図が掲載されており、この印刷物を受け取った来場者は、印刷物に掲載された地図によって目的地に案内されてくることになる。
【０００３】
このような印刷物に掲載される地図においては、その見やすさ等の理由から、目的地や最寄りの駅、その他、目印となる目標物等の情報のみが掲載された略図が使用される場合が多く、上述したような案内状や招待状に限らず、チラシやパンフレット等においても、略図が掲載されることによって目的地の場所が通知されている（例えば、特許文献１，２参照。）。
【０００４】
図４は、従来の略図が掲載された印刷物の一例を示す図である。
【０００５】
図４に示すように、本従来例においては、目的地１０１と最寄駅１０２とが含まれ、かつ、最寄駅１０２から目的地１０１までの間に存在し、目印となる目標物１０３ａ〜１０３ｄが含まれてなる略図が掲載されている。
【０００６】
このような印刷物に掲載される略図は、印刷物を作製する業者等において、一般に市販されている地図を用いて任意に作成されている。
【特許文献１】特開２００２−３２９１０２号公報
【特許文献２】特開２００２−１３３２７３号公報
【発明の開示】
【発明が解決しようとする課題】
【０００７】
しかしながら、上述したような従来の略図においては、印刷物を作製する業者等において任意に作成されているため、地図内における相対的な縮尺度が一定であるとは限らない。例えば、図４に示した印刷物に掲載された略図において、最寄駅１０２から目標物１０３ｂまでの距離と、目標物１０３ｂから目標物１０３ｃまでの距離とは、略図上では等しいように見えるが、実際には異なる場合があり、その場合、略図が掲載された印刷物を受け取った来場者が、印刷物に掲載された略図を見ながら目的地１０１に向かうと、道中で迷ってしまう虞れがある。
【０００８】
また、印刷物を作製する業者等においては、この印刷物の種類や目的地毎に略図を作成しなければならないため、その数が多い場合、略図を作成するために膨大な手間と時間がかかってしまうという問題点がある。
【０００９】
本発明は、上述したような従来の技術が有する問題点に鑑みてなされたものであって、正確な位置情報が記載され、かつ、見やすい地図が掲載された印刷物を手間と時間をかけずに作製することができる印刷物作製システムを提供することを目的とする。
【課題を解決するための手段】
【００１０】
上記目的を達成するために本発明は、
地図情報が掲載された印刷物を作製する印刷物作製システムであって、
実際の地形に対して地図内における縮尺率が一定となる略図情報が登録されたデータベースと、
目的地情報が入力されるための情報入力手段と、
前記データベースに登録された略図情報の中から、前記情報入力手段を介して入力された目的地情報によって特定される第１の地点を含む所定の範囲の略図情報を抽出する地図情報抽出手段と、
前記地図情報抽出手段にて抽出された略図情報を印刷する地図情報印刷手段とを有することを特徴とする。
【００１１】
また、前記データベースに登録された略図情報には、ランドマーク情報が含まれており、
前記地図情報抽出手段にて抽出された略図情報の範囲、並びに予め決められたランドマーク情報の優先順位に応じて、前記地図情報抽出手段にて抽出された略図情報に含まれるランドマーク情報の中から略図上に掲載すべきランドマーク情報を選択するランドマーク選択手段を有し、
前記地図情報印刷手段は、前記地図情報抽出手段にて抽出された略図情報上に前記ランドマーク選択手段にて選択されたランドマーク情報を印刷することを特徴とする。
【００１２】
また、前記地図情報抽出手段は、前記入力手段を介して基準位置情報が入力された場合、該基準位置情報によって特定される第２の地点と前記第１の地点とを含む範囲の略図情報を抽出することを特徴とする。
【００１３】
また、前記第１の地点と前記第２の地点との距離に基づいて、前記第１の地点と前記第２の地点との間の移動時間を算出する移動時間算出手段を有し、
前記地図情報印刷手段は、前記移動時間算出手段にて算出された移動時間を印刷することを特徴とする。
【００１４】
上記のように構成された本発明においては、情報入力手段を介して目的地情報が入力されると、地図情報抽出手段において、実際の地形に対して地図内における縮尺率が一定となる略図情報が登録されたデータベースから、情報入力手段を介して入力された目的地情報によって特定される第１の地点を含む所定の範囲の略図情報が抽出され、地図情報印刷手段において、地図情報抽出手段にて抽出された略図情報が印刷される。
【００１５】
このように、実際の地形に対して地図内における縮尺率が一定となる略図情報を用いて、目的地情報によって特定される第１の地点を含む所定の範囲の略図が印刷されるので、正確な位置情報が記載され、かつ、見やすい地図が掲載された印刷物が作製される。また、情報入力手段を介して目的地情報が入力されるだけで、その目的地情報によって特定される第１の地点が含まれる略図情報が印刷されることになるので、このような印刷物を手間と時間をかけずに作製することができる。
【００１６】
また、データベースに登録された略図情報にランドマーク情報を含めておき、ランドマーク選択手段において、地図情報抽出手段にて抽出された略図情報の範囲、並びに予め決められたランドマーク情報の優先順位に応じて、地図情報抽出手段にて抽出された略図情報に含まれるランドマーク情報の中から略図上に掲載すべきランドマーク情報を選択して選択されたランドマーク情報のみ略図情報上に印刷すれば、地図情報抽出手段にて抽出された略図情報の範囲に応じて、略図に含まれるランドマーク情報を見やすい数に限定しながらも、必要となるランドマーク情報を略図上に掲載することができる。
【００１７】
また、入力手段を介して基準位置情報が入力された場合は、地図情報抽出手段において、基準位置情報によって特定される第２の地点と第１の地点とを含む範囲の略図情報がデータベースから抽出され、この略図情報が印刷されることになる。
【００１８】
その場合、移動時間算出手段において、第１の地点と第２の地点との距離に基づいて、第１の地点と第２の地点との間の移動時間を算出し、地図情報印刷手段において、移動時間算出手段にて算出された移動時間を印刷すれば、目的地への来場者はこの略図を見て、基準位置として設定した地点から目的地までの所要時間を認識することができる。
【発明の効果】
【００１９】
以上説明したように本発明においては、実際の地形に対して地図内における縮尺率が一定となる略図情報を用いて、目的地情報によって特定される第１の地点を含む所定の範囲の略図が印刷される構成としたため、正確な位置情報が記載され、かつ、見やすい地図が掲載された印刷物を作製することができる。また、情報入力手段を介して目的地情報が入力されるだけで、その目的地情報によって特定される第１の地点が含まれる略図情報が印刷されることになるので、このような印刷物を手間と時間をかけずに作製することができる。
【００２０】
また、データベースに登録された略図情報にランドマーク情報を含めておき、ランドマーク選択手段において、地図情報抽出手段にて抽出された略図情報の範囲、並びに予め決められたランドマーク情報の優先順位に応じて、地図情報抽出手段にて抽出された略図情報に含まれるランドマーク情報の中から略図上に掲載すべきランドマーク情報を選択して選択されたランドマーク情報のみ略図情報上に印刷するものにおいては、地図情報抽出手段にて抽出された略図情報の範囲に応じて、略図に含まれるランドマーク情報を見やすい数に限定しながらも、必要なランドマーク情報を略図上に掲載することができる。
【００２１】
また、入力手段を介して基準位置情報が入力され、地図情報抽出手段において、基準位置情報によって特定される第２の地点と第１の地点とを含む範囲の略図情報がデータベースから抽出され、移動時間算出手段において、第１の地点と第２の地点との距離に基づいて、第１の地点と第２の地点との間の移動時間を算出し、地図情報印刷手段において、移動時間算出手段にて算出された移動時間を印刷するものにおいては、目的地への来場者はこの略図を見て、基準位置として設定した地点から目的地までの所要時間を認識することができる。
【発明を実施するための最良の形態】
【００２２】
以下に、本発明の実施の形態について図面を参照して説明する。
【００２３】
図１は、本発明の印刷物作製システムの実施の一形態を示す図である。
【００２４】
本形態は図１に示すように、目的地情報データベース１０に登録された目的地情報となる目的地の住所や、基準位置情報が入力されるための情報入力部２０と、実際の地形に対して地図内における縮尺率が一定となる略図情報及びそれに含まれたランドマーク情報が登録された略図情報データベース３０と、略図情報データベース３０に登録された略図情報の中から、情報入力部２０を介して入力された目的地の住所や基準位置情報によって特定される地点を含む略図情報を抽出する地図情報抽出部４０と、ランドマーク情報の優先順位が予め設定され、地図情報抽出部４０にて抽出された略図情報の範囲及びランドマーク情報の優先順位に応じて、地図情報抽出部４０にて抽出された略図情報に含まれるランドマーク情報の中から略図上に掲載すべきランドマーク情報を選択するランドマーク選択部５０と、情報入力部２０を介して入力された住所によって特定される第１の地点となる目的地と基準位置情報によって特定される第２の地点となる基準位置との距離に基づいて、目的地と基準位置との間の移動時間を算出する移動時間算出部６０と、地図情報抽出部４０にて抽出された略図情報を、ランドマーク選択部５０にて選択されたランドマーク情報を含んで印刷するとともに、移動時間算出部６０にて算出された移動時間を印刷する地図情報印刷部７０とから構成されている。
【００２５】
以下に、上記のように構成された印刷物作製システムにおける印刷物作製方法について説明する。
【００２６】
図２は、図１に示した印刷物作製システムにおける印刷物作製方法を説明するためのフローチャートである。
【００２７】
まず、目的地情報データベース１０に登録された目的地情報となる目的地の住所や基準位置情報が情報入力部２０を介して入力される（ステップＳ１）。例えば、目的地情報データベース１０には、試験会場の住所リストが予め登録されており、この住所リストが目的地情報データベース１０から取り出され、情報入力部２０を介して入力される。また、印刷物に掲載される略図に、目的地の他に、例えば、目的地の最寄駅のような、目的地に来場する来場者が必要となる情報を含める場合は、その情報（例えば最寄駅名）が基準位置情報として情報入力部２０を介して入力される。
【００２８】
すると、地図情報抽出部４０において、略図情報データベース３０に登録された略図情報の中から、情報入力部２０を介して入力された目的地の住所によって特定される地点を含む所定の範囲の略図情報及びランドマーク情報が抽出される（ステップＳ２）。ここで、略図情報データベース３０においては、実際の地形に対して地図内における縮尺率が一定となる略図情報がランドマーク情報とともに登録されており、この略図情報及びランドマーク情報が地図情報抽出部４０にて抽出されることになる。また、情報入力部２０を介して基準位置情報が入力されている場合は、この基準位置情報と目的地の住所によって特定される地点を含む略図情報及びランドマーク情報が抽出される。地図情報抽出部４０においては、略図情報データベース３０に対して、基準位置情報（例えば、駅名、施設名等）を用いて略図を検索するための機能が設けられており、この機能によって、基準位置情報によって特定される地点を含む略図情報及びランドマーク情報が抽出されることになる。なお、略図情報データベース３０から抽出される略図情報の範囲においては、情報入力部２０を介して入力された目的地の住所によって特定される地点に対して地図情報抽出部４０にて予め設定されている場合や、目的地の住所が情報入力部２０を介して入力される場合に情報入力部２０を介してその範囲を決めるための条件が入力される場合等が考えられる。また、情報入力部２０を介して基準位置情報が入力されている場合は、この基準位置情報と目的地の住所によって特定される地点の中間位置が検出され、この中間位置を中心として、かつ、基準位置情報と目的地の住所によって特定される地点が含まれるような範囲が設定されることが考えられる。
【００２９】
次に、ランドマーク選択部５０において、地図情報抽出部４０にて抽出された略図情報の範囲及びランドマーク情報の優先順位に応じて、地図情報抽出部４０にて抽出された略図情報に含まれるランドマーク情報の中から略図上に掲載すべきランドマーク情報が選択される（ステップＳ３）。ここで、ランドマーク選択部５０においては、ランドマーク情報の種類に応じてその優先順位が予め設定されており、まず、地図情報抽出部４０にて抽出された略図情報の範囲に応じて、略図上に掲載すべきランドマーク情報の数が決定され、その後、略図情報データベース３０から抽出されたランドマーク情報がその種類によって優先順位に並べ替えられ、優先順位が高いランドマーク情報から、決定された数だけのランドマーク情報が選択されることになる。そのために、略図情報データベース３０に登録されたランドマーク情報のそれぞれについては、その種類を特定可能な情報が付与されている。また、優先順位の他に、略図に必ず掲載すべきランドマーク情報の種類が設定されていることも考えられる。その場合は、地図情報抽出部４０にて抽出されたランドマーク情報のうち、その種類のランドマーク情報は、地図情報抽出部４０にて抽出された略図情報の範囲によらずに選択されることなる。
【００３０】
また、情報入力部２０を介して基準位置情報が入力されている場合は、移動時間算出部６０において、情報入力部２０を介して入力された住所によって特定される目的地と基準位置情報によって特定される基準位置との距離に基づいて、基準位置と目的地との間の移動時間が算出される（ステップＳ４）。基準位置と目的地との距離は、略図情報データベース３０に登録された略図情報を用いて算出することができる。また、基準位置と目的地との間の移動時間においては、移動時間算出部６０にて所定時間当たりの移動距離が予め設定されており、算出された距離と、予め設定された所定時間当たりの移動距離とを用いて、基準位置と目的地との間の移動時間が算出されることになる。例えば、１分間当たりの徒歩による移動距離を８０ｍと設定しておき、基準位置と目的地との間の距離を８０ｍで除算することにより、基準位置と目的地との間の徒歩による移動時間が算出される。
【００３１】
また、略図以外に印刷物に掲載すべき情報がある場合は、情報入力部２０を介してその情報が入力される（ステップＳ５）。例えば、略図に掲載された基準位置から目的地までのアクセス方法や、目的地の住所、電話番号等が情報入力部２０を介して入力される。
【００３２】
次に、地図情報印刷部７０において、地図情報抽出部４０にて抽出された略図情報と、ランドマーク選択部５０にて選択されたランドマーク情報とを用いて印刷物に印刷される略図が編集される（ステップＳ６）。なお、その際、情報入力部２０を介して基準位置情報が入力され、移動時間算出部６０にて基準位置から目的地までの移動時間が算出されている場合は、その移動時間と略図とを含めた印刷データが編集され、また、ステップＳ５にて情報入力部２０を介して他の情報が入力されている場合はその情報も含めて印刷データが編集されることになる。
【００３３】
編集された略図を含む印刷データは、校正にかけられる（ステップＳ７，Ｓ８）。この校正は、例えば、図１に示したような印刷物作製システムを用いて印刷物の作製を依頼している団体等にて行うことが考えられる。その場合、地図情報印刷部７０にて編集された印刷データを、セキュリティが確保された通信回線を介して印刷物作製システムから、印刷物の作製を依頼している団体等に送信する構成とすれば、印刷物の作製を依頼している団体等において、地図情報印刷部７０にて編集された印刷データを電子データとして取得することができ、それにより、校正作業を容易に行うことができるとともに、地図情報印刷部７０にて編集された印刷データが外部に漏洩してしまうことを防止することができる。
【００３４】
校正が完了した後、地図情報印刷部７０において、編集された略図を含む印刷データが印刷され、目的地や基準位置を含む略図が掲載された印刷物が作製されることになる（ステップＳ９）。
【００３５】
図３は、図１に示した印刷物作製システムにて作製された印刷物の一例を示す図である。
【００３６】
図３に示すように、上述したような一連の処理によって作製された印刷物においては、地図情報抽出部４０にて略図情報データベース３０から抽出された略図１００と、ステップＳ５にて情報入力部２０を介して入力された情報と移動時間算出部６０にて算出された移動時間からなるアクセス情報１１０と、ステップＳ５にて情報入力部２０を介して入力された目的地情報１２０とが掲載されており、また、略図１００には、情報入力部２０を介して入力された目的地の住所によって特定される第１の地点となる目的地１と、情報入力部２０を介して入力された基準位置情報によって特定される第２の地点となる基準位置２と、ランドマーク選択部５０にて選択されたランドマーク情報３ａ〜３ｄが掲載されている。この略図は、上述したように、実際の地形に対して地図内における縮尺率が一定となる略図情報から抽出されたものであるため、略図上における間隔と実際の距離との比率が一定となっている。例えば、略図１００上において、基準位置２とランドマーク情報３ｂとの間の長さはランドマーク情報３ｂとランドマーク情報３ｃとの間の長さの約２倍となっているが、実際の地形においても、基準位置２とランドマーク情報３ｂとの間の距離はランドマーク情報３ｂとランドマーク情報３ｃとの間の距離の約２倍となっている。また、印刷物には、目的地１周辺の詳細な地図情報を提供するサイトのＵＲＬ１５０が掲載されており、インターネットに接続可能な端末において、このＵＲＬ１５０によって特定される領域にアクセスすることによって、目的地１周辺の詳細な地図情報を取得することができる。さらに、印刷物には、二次元コード１３０が印刷されている。この二次元コード１３０には、例えば、目的地１の位置情報（緯度、経度情報）が含まれており、そのため、二次元コードを読取可能な携帯端末にてこの二次元コード１３０が読み取られた場合、目的地近辺の詳細地図が携帯端末に配信されることになる。また、単位距離数がスケール１４０によって表示されており、このスケール１４０を参照すれば、略図１００上における長さから実際の距離を認識することができる。
【００３７】
なお、上述したような略図が掲載された印刷物としては、イベントの案内状や結婚式の招待状、試験会場の案内状、ＣＤ・ＡＴＭ設置場所案内図、店舗等のバーゲン招待状、選挙投票用紙、公共機関の案内図等、来場者に場所を通知するものであれば、様々な用途に用いられるものが考えられる。
【図面の簡単な説明】
【００３８】
【図１】本発明の印刷物作製システムの実施の一形態を示す図である。
【図２】図１に示した印刷物作製システムにおける印刷物作製方法を説明するためのフローチャートである。
【図３】図１に示した印刷物作製システムにて作製された印刷物の一例を示す図である。
【図４】従来の略図が掲載された印刷物の一例を示す図である。
【符号の説明】
【００３９】
１    目的地
２    基準位置
３ａ〜３ｄ    ランドマーク情報
１０    目的地情報データベース
２０    情報入力部
３０    略図情報データベース
４０    地図情報抽出部
５０    ランドマーク選択部
６０    移動時間算出部
７０    地図情報印刷部
１００    略図
１１０    アクセス情報
１２０    目的地情報
１３０    二次元コード
１４０    スケール
１５０    ＵＲＬ
【図１】
2005134731.tif 000003
【図２】
2005134731.tif 000004
【図３】
2005134731.tif 000005
【図４】
2005134731.tif 000006